(57)【要約】【課題】使用者による付け替えが容易に、かつ確実に実施でき、内側容器の密閉性が確実に維持され、さらには使い捨てとなる部分を低コストで提供できる付け替え型二重容器を提供すること。【解決手段】外殻を形成する、開口部を形成した頂壁を有する筒状の外装筒体と、内容液を収納し、筒状の胴部を有し、開口部から口筒部を突出させた状態で外装筒体に収容される内容体と、外装筒体の下端部に取り外し可能に組み付く底蓋体とを有する容器において、内容体の口筒部の下端部に嵌合周条を周設し、この嵌合周条と外装筒体の開口部との間で回動不能な嵌合部を形成し、内容体を、相対回動不能に、また頂壁を利用しての上下方向への相対移動不能に外装筒体に組付ける。【選択図】                図１
2004352349.tif 000002
【特許請求の範囲】
【請求項１】
外殻を形成する、開口部（３）を形成した頂壁（２）を有する筒状の外装筒体（１）と、内容液を収納し、筒状の胴部（１３）を有し前記開口部（３）から口筒部（１２）を突出させた状態で前記外装筒体（１）に収容される内容体（１１）と、前記外装筒体（１）の下端部に取り外し可能に組み付く底蓋体（７）を有し、前記内容体（１１）の口筒部（１２）の下端部と外装筒体（１）の開口部（３）との間で回動不能な嵌合部を形成し、内容体（１１）を、相対回動不能に、また頂壁（２）を利用しての上下方向への相対移動不能に外装筒体（１）に組付けて成る付け替え型二重容器。
【請求項２】
口筒部（１２）の下端部に嵌合周条（１７）を周設し、該嵌合周条（１７）と外装筒体（１）の開口部（３）との間で回動不能な嵌合部を形成する構成とした請求項１記載の付け替え型二重容器。
【請求項３】
嵌合周条（１７）および開口部（３）の外周縁の形状を４角形以上の正多角形として、嵌合部を形成した請求項２記載の付け替え型二重容器。
【請求項４】
内容体（１１）の肩部（１４）の外装筒体（１）頂壁（２）への当接により、該内容体（１１）を上方向への相対移動不能に外装筒体（１）に組み付けて成る請求項１、２または３記載の付け替え型二重容器。
【請求項５】
有頂筒状のキャップ体（２３）を内容体（１１）の口筒部（１２）に螺合組み付けする構成とし、該キャップ体（２３）の下端面を頂壁（２）に当接させて、内容体（１１）を、下方向への相対移動不能に外装筒体（１）に組み付けて成る請求項１、２、３または４記載の付け替え型二重容器。
【請求項６】
内容体（１１）の口筒部（１２）に密に組み付く注出ポンプ（２１）を有する構成とした請求項１、２、３、４または５記載の付け替え型二重容器。
【請求項７】
内容体（１１）の胴部（１３）を萎み変形自在の薄肉とした、請求項６記載の付け替え型二重容器。
【請求項８】
内容体（１１）を、底蓋体（７）の底壁と外装筒体（１）の頂壁（３）で挟持して、上下方向への相対移動不能に外装筒体（１）に組み付き固定して成る請求項１、２、３、４、５または６記載の付け替え型二重容器。
【請求項９】
ブロー成形された内容体（２）を使用した請求項１、２、３、４、５、６、７または８記載の付け替え型二重容器。
【請求項１０】
内容体（２）体としてパウチ状容器を使用した請求項１、２、３、４、５、６、７または８記載の付け替え型二重容器。
【発明の詳細な説明】
【０００１】
【産業上の利用分野】
本発明は、外殻を形成する外容体と、内容液を収納する薄肉の胴部を有する内容体とからなる合成樹脂製の付け替え型二重容器に関する。
【０００２】
【従来の技術】
たとえば特許文献１には、特には高級化粧液等に使用する外容器と中容器からなる合成樹脂製二重容器に関する記載があり、中容器を自己形状保持能力の高い外側容器内に肉薄な内側容器を積層した積層容器として、さらに注出ポンプを取り付けて、内容液の注出に伴なって内側容器が変形し、外部の空気が内側容器に侵入しない構成として、内容液の進入空気による変質を抑制する構造としている。
【０００３】
一方、最近に至って、環境問題、省資源の観点から、繰り返し利用できる容器、あるいは廃棄量を少しでも少なくする方法が、商品に対して要求されるようになっており、上記のような多くの部材から構成される二重容器についてみると、たとえば内側容器を付け替えて他の部材は繰り返し可能な構成であることが求められている。
【０００４】
【特許文献１】
特開平１０−５９３５７号公報
【０００５】
【発明が解決しようとする課題】
しかしながら、上記のような要請すなわち付け替え可能な容器とするためには使用者による付け替えが容易に、かつ確実に実施できること、特には内側容器の密閉性が確実に維持されること、さらには使い捨てとなる内側容器を低コストで提供できること等が要求される。
【０００６】
本発明は上述のごとき課題を解決しようとするものであって、その課題は、使用者による付け替えが容易に、かつ確実に実施でき、さらには使い捨てとなる部分を低コストで提供できる付け替え型二重容器を提供することにある。
【０００７】
【課題を解決するための手段】
上記技術的課題を解決する本発明の内、請求項１記載の発明の手段は、
外殻を形成する、開口部を形成した頂壁を有する筒状の外装筒体と、内容液を収納し、筒状の胴部を有し、開口部から口筒部を突出させた状態で外装筒体に収容される内容体と、外装筒体の下端部に取り外し可能に組み付く底蓋体を有すること、
内容体の口筒部の下端部と外装筒体の開口部との間で回動不能な嵌合部を形成すること、
内容体を、相対回動不能に、また頂壁を利用しての上下方向への相対移動不能に外装筒体に組付けること、
にある。
【０００８】
請求項１記載の上記構成により、本願発明の容器の組み立てでは、まず内容液を挿入した内容体を筒状の外装筒体の下端開口部から挿入するが、内容体の肩部の外装筒体頂壁への当接によってこの挿入の限界が決められ、この限界位置で、口筒部の下端部が外装筒の頂壁開口部に嵌合して、相対回動不能な嵌合部を形成する。また口筒部は開口部から頂壁の上方に突出して位置する。
【０００９】
また、内容体の肩部から底面に亘る高さを、底蓋体の底壁から外装筒体の頂壁に亘る高さに対して適宜設定することにより、内容体を外装筒体へ挿入後、あるいは予め内容体の底部に底蓋体を組み付けた状態で内容体を外装筒体に挿入後、底蓋体を内容体の底面を押し付けるようにして、外装筒体の下端部に組み付けることにより、内容体の肩部を外装筒体の頂壁に当接させ、外装筒体内における内容体の上下方向の移動を抑制することができ、上記相対回動を不能にすることと相俟って、内容体を容易に固定することができる。
【００１０】
また、使用後は底蓋体を取り外して、さらに内容体を外容体の下端部から引き抜くことにより容易に各部材を分解することができるので、使用後の内容体だけを廃棄して、新たに内容液を収納した内容体のみを付け替え容器として購入して、外装筒体、底蓋体等の他の部材を繰り返し使用することができる。
【００１１】
また外装筒体は、容器の外殻を形成するものであり、薄肉の内容体に替わって容器に掴持性を付与すると共に、装飾的な機能を発揮するものであり、たとえば着色、印刷等の加飾はもっぱら繰り返し使用する外装筒体に実施して、一方使い捨て部分となる内容体の装飾的な外観は不要とすることができ、この面からも省資源、省エネルギー、低コスト化を実現することが可能となる。
【００１２】
ここで、内容体の胴部を薄肉にして内容液の注出により内容体の胴部を減容変形させて使用するタイプの容器においても、付け替えの際に内容液が略充満した状態では、上記した底蓋体の底壁と外装筒体の頂壁による内容体の挟持は有効であり、内容体を固定することができ、付け替用の内容体に取り付けてあるキャップ等の取り外し、あるいは注出ポンプ等の取り付け等の付け替え作業をスムーズに実施することができる。
【００１３】
また、上記内容体が減容変形するタイプの容器では、内容液を使用し始めると、上記底蓋体による上下方向の移動の抑制効果がなくなるので、外装筒体の頂壁を利用した適宜方法により、たとえば頂壁を内容体の肩部と、内容体の口筒部に螺合するキャップ体で挟持する等の方法により、内容体と外容体の上下方向の相対的な移動を不能とする。
【００１４】
請求項２記載の発明の手段は、請求項１記載の発明において、口筒部の下端部に嵌合周条を周設し、この嵌合周条と外装筒体の開口部との間で回動不能な嵌合部を形成すること、にある。
【００１５】
請求項２記載の上記構成により、嵌合周条により回動不能な状態を確実に達成することができる。
【００１６】
請求項３記載の発明の手段は、請求項２記載の発明において、嵌合周条および開口部の外周縁の形状を４角形以上の正多角形として、嵌合部を形成すること、にある。
【００１７】
請求項３記載の上記構成により、回動不能とするため、嵌合周状と開口部の外周縁形状は非円形状とすれば良いが、嵌合周条の開口部への嵌入操作の容易性の点から、４角形以上、たとえば正６角形、正８角形程度の正多角形とすることが好ましい。
【００１８】
請求項４記載の発明の手段は、請求項１、２または３記載の発明において、内容体の肩部の外装筒体頂壁への当接により、内容体を上方向への相対移動不能に外装筒体に組み付けること、にある。
【００１９】
胴部を薄肉に成形した場合にでも、肩部は比較的肉厚に成形できるので、口筒部に当接のためのフランジ片等を付設することなく、請求項４記載の上記構成にあるように、この肩部を頂壁へ当接させることにより、内容体の上方向への移動を抑えることができる。
【００２０】
請求項５記載の発明の手段は、請求項１、２、３または４記載の発明において有頂筒状のキャップ体で内容体の口筒部に螺合組み付けする構成とし、このキャップ体の下端面を頂壁に当接させて、内容体を下方向への相対移動不能に外装筒体に組み付けること、にある。
【００２１】
請求項５記載の上記構成は、口筒部に螺合組み付きするキャップ体を利用して、すなわちキャップ体の下端面を外装筒体の頂壁に当接させることにより確実に内容体の下方向への移動を不能とすることができる。
【００２２】
また、キャプ体を口筒部に螺合する際の締め付け力によりたとえば内容体の肩部とこのキャップ体の間に外装筒体の頂壁を挟持することができ、内容体の外装筒体への組み付けを確実に達成することができる。
【００２３】
請求項６記載の発明の手段は、請求項１、２、３、４または５記載の発明において、内容体の口筒部に密に組み付く注出ポンプを有する構成とすること、にある。
【００２４】
請求項６記載の上記構成により、注出ポンプを利用した利便性の高い付け替え型二重容器を提供することができる。なお注出ポンプは例えば頂壁に開口部を有する筒状のキャップ体を螺合する等により、内容体の口筒部に密に組み付けることができ、繰り返し使用することが可能である。
【００２５】
請求項７記載の発明の手段は、請求項６記載の発明において、内容体の胴部を萎み変形自在の薄肉とすることにある。
【００２６】
請求項７記載の上記構成により、外気の進入を阻止する逆止弁を有する注出ポンプの使用により内容液を注出すると胴部が内容液の減少に伴って萎み（減容）変形し、外部空気の進入をなくすことができ、内容液の変質を抑制すると共に、内容体に空気溜りができないので容器の姿勢に拠らず内容液のスムーズな注出が可能となる。
【００２７】
またこの際、外装筒体および底蓋体を不透明状にしておけば、内容体の変形状による外観の劣化を防ぐことができる。
【００２８】
請求項８記載の発明の手段は、請求項１、２、３、４、５または６記載の発明において、内容体を、底蓋体の底壁と外装筒体の頂壁で挟持して、上下方向への相対移動不能に外装筒体に組み付き固定すること、にある。
【００２９】
請求項８記載の上記構成は、内容体を萎み変形させず元の形状を保持したまま使用するタイプの容器を想定したものであり、内容体の底面から肩部に亘る高さを適宜設定することにより、単に内容体を外装筒体内に挿入し、底蓋体の底壁で内容体の底面を押し付けるようにして、底蓋体を外装筒体の下端に組み付けることにより、底蓋体の底壁と、外装筒体の頂壁の間に内容体を挟持して、容易に内容体を上下方向への相対移動不能に外装筒体に組み付き固定することができる。
【００３０】
なお、上記の場合で注出ポンプを使用する際には、内容液の注出と共に、外気を内容体内に取り入れるタイプの注出ポンプを使用する。また内容体の組み付きを確実にするためには内容体の底面から肩部上面に亘る高さを、底蓋体の底壁上面から外装筒体の頂壁下面に亘る高さと略同じか僅かに高くするのが好ましい。
【００３１】
請求項９記載の発明の手段は、請求項１、２、３、４、５、６、７または８記載の発明において、ブロー成形された内容体を使用すること、にある。
【００３２】
請求項９記載の上記構成により、ブロー成形では、口筒部を肉厚にして十分組み付きに耐える剛性を確保しながら、胴部を自在な萎み変形可能に十分薄肉に成形することもでき、高生産性で、安価に必要十分な機能を発揮する形状の内容体を提供することができる。
【００３３】
請求項１０記載の発明の手段は、請求項１、２、３、４、５、６、７または８記載の発明において、内容体にパウチ状容器を使用すること、にある。
【００３４】
【発明の実施の形態】
以下、本発明の実施の形態を、図面を参照しながら説明する。
図１〜図３は、本発明による付け替え型二重容器の第１実施例を示す。本実施例の容器は図１に示されるように主として外装筒体１、内容体１１、底蓋体７および注出ポンプ２１の４ケの部材から構成され、外装筒体１は円筒状であり中央部に開口部３を形成した頂壁２を有する。
【００３５】
また、後述する内容体１１の嵌合周条１７が嵌合する開口部３の外周縁形状は正８角形であり、また下端部には後述する底蓋体７を組み付けるための嵌合孔６が形成されている。
【００３６】
内容体１１は円筒状の胴部１３を有するブロー成形壜体であり、口筒部１２の下端部には外周縁形状が開口部３に嵌合する正８角形の、嵌合周条１７が形成されており、開口部３とこの嵌合周条１７により相対回動不能に嵌合部を形成する。
【００３７】
また、胴部１３は萎み変形が自在に達成されるよう、十分薄肉に成形されており、また肩部１４は、後述する注出ポンプ２１のフランジ２４との間に外装筒体１の頂壁２を挟持するため、水平方向に比較的平坦な形状としている。
【００３８】
底蓋体７は、押圧による内側への弾性変形が可能な押圧片８を軸対称の位置に一対有し、この押圧片８に付設した薄円板状の押圧ボタン９を押圧することにより取り外し可能に、外装筒体１の下端開口部に組み付く。
【００３９】
注出ポンプ２１は外気の内容体１１内部への進入を阻止するための逆止弁を備えたタイプのものであり、キャップ体２３、吸引管２２および外鍔周条２２ａを有し、キャップ体２３を内容体１１の口筒部１２に螺合することにより、外鍔周条２２ａをパッキン２５を介して口筒部１２の上端面とキャップ体２３の頂壁で挟持して、確実に口筒部１２に密に組み付けることができる。なお、通常注出ポンプ２１のヘッド部分には誤動作を防ぐためにカバーキャップ２７を被せる。
【００４０】
容器の組み立ては、図１に示されるように新しい内容液を充填した内容体１１を外装筒体１の下端部から挿入して、嵌合周条１７を開口部３に嵌入して、嵌合させ、頂壁１４から口筒部１２を突出させた状態で、下方から底蓋体７を外装筒体１の下端部に嵌合組み付けさせ、最後に口筒部１２に注出ポンプ２１をキャップ体２３で螺合組み付きさせる。
【００４１】
ここで、通常内容体１１は口筒部１２にキャップ等をして密封した状態で販売されるが、組み立て時における内容液の漏出を防ぐために、このキャップをした状態で外装筒体に挿入して注出ポンプ２１を取り付ける際にキャップを取り外すようにする。
【００４２】
また、内容体１１の胴部１３は萎み変形可能に薄肉ではあるが、使用前の内容液が充填した状態では、内容体１１の底面から肩部１４の上面に亘る高さを、底蓋体７の底壁から外装筒体１の頂壁２下面に亘る高さと略同じに、あるいは僅かに高く設定することにより、底壁で、下方から内容体１１の底面を押し付けるようにして、底蓋体７を外装筒体１に組み付け、底蓋体７の底壁と、外装筒体１の頂壁３で内容体１１を挟持して内容体１３を上下方向への相対移動不能に外装筒体１に組み付き固定することができる。（主として図２参照）
【００４３】
上記により、内容体１１を外装筒体１に相対回動不能に、かつ上下方向への相対移動不能に組み付けることができ、注出ポンプ２１の取り付けを容易にかつ確実に実施することができる。
【００４４】
図３は組み付き状態を示す要部拡大図であり、注出ポンプ２１のキャップ体２３の下端に周設したフランジ２４と、内容体１１の肩部１４の間に外容体１の頂壁２の開口部周縁近傍部分を挟持した状態である。
【００４５】
使用中、内容液の減少に伴って内容体１１の胴部１３が萎み変形すると（図３中の２点鎖線で表した胴部１３参照）、底蓋体７の底壁と、外装筒体１の頂壁２による内容体１１の挟持ができなくなるが、キャップ体２３を口筒部１２に螺合締め付けすることにより、使用中も外装筒体１と内容体１３の上下方向への相対移動不能な組み付き固定を確実に保持することができる。
【００４６】
図４は、頂壁２の挟持方法の他の例であり、口筒部１２の嵌合周条１７の直下に挟持周条１８を付設した構成で、この挟持周条１８とフランジ２４で頂壁２４を挟持するものであり、内容体１１の肩部１８の肉厚分布、形状によらず挟持状態をより確実に保持することが可能となる。
【００４７】
図５および図６は、本発明の容器の第２実施例であり、注出ポンプは使用せず内容液を注出するためのノズル２９を頂壁に起立設し、またヒンジキャップ２８を有するキャップ体２３を螺合した容器であり、容器を倒立姿勢にして振る様にして内容液を注出して使用する。
【００４８】
また、本実施例の内容体１１の胴部１３は比較的厚肉に成形され、相応の座屈強度を有した構成であり、単に内容体１１を外装筒体内１に挿入し、内容体１１の底面を底蓋体７の底壁で押し付けるようにして、底蓋体７を組み付けることにより、底蓋体７底壁と、外装筒体１頂壁の間に内容体１１を挟持して、内容体１１を上下方向への相対移動不能に確実に外装筒体１に組み付き固定でき、使用中に内容液が減少してもこの組み付き固定状態を維持確保することができる。
【００４９】
このため、本実施例の容器では、第１実施例の容器のキャップ体２３のフランジ２４、あるいは口筒部１１の挟持周状１８等の内容体１１を挟持するための部位（図４参照）を特に設けていない。
【００５０】
また、上記のように挟持のためにキャップ体２３の下端面を外装筒体１の頂壁２に当接させる必要のない場合には、新しい付け替え用の内容体１１に取り付けてあるキャップの外径を開口部３を通過でき大きさにすることにより、そのままキャップ体２３として使用することもでき、使用者にとってはより利便性の高いものとなる。
【００５１】
なお、第１実施例では注出ポンプ２１、また第２実施例ではノズル２９を有したキャップ体２３を取り付けた例を記載したが、本発明の容器は口筒部にさまざまな注出のための部材を取り付けて使用することができるものであり、たとえばポンプ機構と櫛体等の塗布体を組み合わせた注出のための部材を取り付けて使用することもできる。
【００５２】
【発明の効果】
本発明は上記した構成となっているので、以下に示す効果を奏する。
請求項１記載の発明にあっては、口筒部の下端部と外装筒体の開口部の嵌合により回動不能して、また底蓋体と外装筒体の頂壁の間に挟持して上下方向への相対移動を不能して、容易に内容体を固定することができ、付け替え操作性に優れた二重容器を提供する。
【００５３】
また外装筒体に、内容体に替わって、容器の掴持性を付与すると共に、装飾的な機能を発揮せしめることにより、内容体の形状および外観に係わらず、付け替え容器でありながら十分に加飾され、外観性の優れた容器を提供することができる。
【００５４】
請求項２記載の発明にあっては、嵌合周条により回動不能な状態を確実に達成することができる。
【００５５】
請求項３記載の発明にあっては、嵌合周状と開口部の外周縁形状をたとえば正６角形、本実施例の正８角形程度の正多角形とすることにより嵌合のための位置合わせを容易に達成することができる。
【００５６】
請求項４記載の発明にあっては、特に口筒部に当接のためのフランジ片等を付設することなく、内容体の肩部を頂壁へ当接させることにより、内容体の上方向への移動を抑えることができる。
【００５７】
請求項５記載の発明にあっては、口筒部に螺合組み付きするキャップ体を利用して、すなわちキャップ体の下端面を外装筒体の頂壁に当接させることにより確実に内容体の下方向への移動を不能とすることができ、また、キャプ体を口筒部に螺合する際の締め付け力によりたとえば内容体の肩部とこのキャップ体の間に外装筒体の頂壁を挟持することができ、内容体の外装筒体への組み付けを確実に達成することができる。
【００５８】
請求項６記載の発明にあっては、注出ポンプを利用した利便性の高い付け替え型二重容器を提供することができ、また筒状のキャップ体を螺合する等により、内容体の口筒部に密に組み付けることができ、注出ポンプも繰り返し使用することができる。
【００５９】
請求項７記載の発明にあっては、胴部を萎み変形自在の薄肉とし、注出ポンプと組み合わせることにより、外部空気の進入をなくすことができ、内容液の変質を抑制すると共に、内容体に空気溜りができないので容器の姿勢に拠らず内容液のスムーズな注出が可能となる。
【００６０】
また、使い捨てとなる内容体の胴部が薄肉であり、より省資源可能な容器となる。また外装筒体および底蓋体を不透明状にしておけば、内容体の変形状による外観の劣化を防ぐことができる。
【００６１】
請求項８記載の発明にあっては、単に内容体を外装筒体内に挿入し、底蓋体を組み付けることにより、底蓋体の底壁と、外装筒体の頂壁の間に内容体を挟持して、容易に内容体を上下方向への相対移動不能に外装筒体に組み付き固定することができる。
【００６２】
請求項９記載の発明にあっては、ブロー成形では、口筒部を肉厚にして十分組み付きに耐える剛性を確保しながら、胴部を自在な萎み変形可能に十分薄肉に成形することもでき、高生産性で、安価に必要十分な機能を発揮する形状の内容体を提供することができる。
【００６３】
請求項１０記載の発明にあっては、内容体としてパウチ状容器も使用することができる。
【図面の簡単な説明】
【図１】本発明の容器の第１実施例を部材に分解して示す、斜視図。
【図２】図１の容器において、内容体を外装筒体内に挿入して底蓋体を嵌合した状態を示す、半縦断正面図。
【図３】図１の容器の組み立てた状態を一部縦断して示す、要部拡大正面図。
【図４】外装筒体と内容体の組み付け方法の他の例を示す、要部拡大正面図。
【図５】本発明の容器の第２実施例において、内容体を外装筒体内に挿入して底蓋体を嵌合した状態を示す、半縦断正面図。
【図６】図５の容器を一部縦断して示す、要部拡大正面図。
【符号の説明】
１  ；外装筒体
２  ；頂壁
３  ；開口部
４  ；胴部
６  ；嵌合孔
７  ；底蓋体
８  ；押圧片
９  ；押圧ボタン
１１；内容体
１２；口筒部
１３；胴部
１４；肩部
１７；嵌合周条
１８；挟持周条
２１；注出ポンプ
２２；吸引管
２２ａ；外鍔周条
２３；キャップ体
２４；フランジ
２５；パッキン
２７；カバーキャップ
２８；ヒンジキャップ
２９；ノズル
【図１】
2004352349.tif 000003
【図２】
2004352349.tif 000004
【図３】
2004352349.tif 000005
【図４】
2004352349.tif 000006
【図５】
2004352349.tif 000007
【図６】
2004352349.tif 000008